(57)【要約】      （修正有）【課題】作業者がモバイル電子装置の操作インターフェースに直接バーコード走査作業を実行することができるモバイルタイプバーコード情報読取りシステムを提供する。【解決手段】モバイルタイプバーコード情報読取りシステム１０は、モバイル電子装置１０１と携帯式バーコード走査装置１０２からなる。携帯式バーコード走査装置１０２とモバイル電子装置１０１がお互いに情報連係した場合、オペレータが直接モバイル電子装置１０１で携帯式バーコード走査装置１０２を操作することができる。従って、場所環境に影響されることがない。また、バーコード情報を獲得した場合、このバーコード情報を直接保存することができ、かつ直接モバイル電子装置１０１に表示されることも可能である。【選択図】図１
0003192976.tif 000002
【実用新案登録請求の範囲】
【請求項１】
バーコードを走査するモバイルタイプバーコード情報読取りシステムであって、
バーコード走査モジュールと、マイクロ処理モジュールと、マッチング・プラグとを具備し、前記バーコード走査モジュールが前記バーコードを読み取ることができ、前記マイクロ処理モジュールが前記バーコード走査モジュールと前記マッチング・プラグとの間に連結して前記バーコードの復号化を実行する、携帯式バーコード走査装置と、
マイクロ処理モジュールを有し、かつ情報送信ポートと、押しボタンと、タッチ制御ユニットとをそれぞれ前記マイクロ処理モジュールに連結してあり、前記情報送信ポートは前記携帯式バーコード走査装置の前記マッチング・プラグに連結されている、モバイル電子装置と、
前記モバイル電子装置のマイクロ処理モジュールに連結しているバーコード走査制御モジュールとを具備し、
前記モバイル電子装置は、前記携帯式バーコード走査装置がバーコード走査作業を実行するように、前記携帯式バーコード走査装置を作動し、前記携帯式バーコード走査装置がバーコード情報を獲得してから、このバーコード情報を保存し、かつ前記モバイル電子装置のスクリーンに表示することを特徴とするモバイルタイプバーコード情報読取りシステム。
【請求項２】
前記バーコード走査制御モジュールは、前記モバイル電子装置に保存される一つのアプリケーションプログラムの形式であり、前記モバイル電子装置と前記携帯式バーコード走査装置とを連結した場合、前記バーコード走査制御モジュールが装置識別をすぐに実行して、この装置識別を完了した後、当該モバイル電子装置と当該携帯式バーコード走査装置との情報連係も達成することができることを特徴とする請求項１記載のモバイルタイプバーコード情報読取りシステム。
【請求項３】
前記携帯式バーコード走査装置と前記モバイル電子装置がお互いに情報連係を達成した場合、オペレータは、前記押しボタンを操作することにより、前記携帯式バーコード走査装置の操作を可能にして前記バーコード走査作業を実行することを特徴とする請求項１または２に記載のモバイルタイプバーコード情報読取りシステム。
【請求項４】
前記携帯式バーコード走査装置と前記モバイル電子装置がお互いに情報連係を達成した場合、オペレータは、バーチャル押しボタンをタッチすることにより、前記携帯式バーコード走査装置の操作を可能にして前記バーコード走査作業を実行することを特徴とする請求項１ないし３のいずれかに記載のモバイルタイプバーコード情報読取りシステム。
【請求項５】
前記バーコード走査モジュールと前記携帯式バーコード走査装置の前記マッチング・プラグとは、一つの枢軸で連結してあり、これにより、前記バーコード走査モジュールと、前記携帯式バーコード走査装置の前記マッチング・プラグとは、この枢軸によって適当な角度で相対的に回転することを特徴とする請求項１ないし４のいずれかに記載のモバイルタイプバーコード情報読取りシステム。
【考案の詳細な説明】
【技術分野】
【０００１】
本考案は、モバイルタイプバーコード情報読取りシステムに係わり、特にモバイル電子装置を操作することで、バーコード走査作業を実行できるモバイルタイプバーコード情報読取りシステムに関する。
【背景技術】
【０００２】
バーコードスキャナーの応用範囲は幅広い。特に、物流業界の貨物管理と商品管理などでの応用が著しい。従来のバーコードスキャナーを使用するに際しては、コンピュータ設備にバーコードスキャナーで読み込まれるバーコード情報を送るように、データ伝送線でバーコードスキャナーをコンピュータ設備に接続しなければならない。コンピュータ設備は通常動かすことが非常に不便なので、バーコードスキャナーの使用範囲は、それがコンピュータ設備の周辺にあるように、しばしば制限される。バーコードスキャナーを遠くに動かす必要がある場合、従来のバーコードスキャナーはこの必要を満たすことが確かにできない。そこで現在、携帯可能なバーコードスキャナーが市販されている。その携帯式バーコードスキャナーは、主にバーコードスキャナーがよりコンパクトになり、さらにバーコードスキャナーをモバイル電子装置に接続することができるものである。ユーザが携帯式バーコードスキャナーでバーコード走査を行うとき、バーコードスキャナーの走査によって得られるバーコード情報をモバイル電子装置に送ることにより、ユーザはすぐモバイル電子装置でバーコード情報を見ることができる。従来の携帯式バーコードスキャナーは、以下の特許文献に開示されている。
【先行技術文献】
【特許文献】
【０００３】
【特許文献１】中華民国特許Ｍ４６３８７６号 「タッチ式バーコードスキャナーとこのタッチ式バーコードスキャナーを具備してあるバーコード走査装置」
【特許文献２】中華民国特許Ｍ４７０９８２号「スキャナー」
【特許文献３】中国特許ＣＮ２００３１０１１２３９５．６号「モバイルタイプ走査記憶装置とその方法」
【特許文献４】中国特許ＣＮ２０１２２０３４５１４８．５号「モバイルタイプバーコードリーダ」
【特許文献５】中国特許ＣＮ２０１３２０１２７８６８．９号「携帯電話のPOSターミナル伸長モジュール」
【考案の概要】
【考案が解決しようとする課題】
【０００４】
前記先行技術文献の内容からわかるように、従来の携帯式バーコード走査装置は、ユーザが携帯式バーコードスキャナーを主要な操作インターフェースとして使用している。一方、モバイル電子装置が単純に情報表示またはプログラム・ランニングとして使われるだけである。しかし、モバイル電子装置はますます機能が広くなりつつあり、特定のプログラムによってより多くの機能を実行することができる。従って、モバイル電子装置が単に情報表示だけとして使われてはいけない。モバイル電子装置が主要な操作インターフェースとして使われることができるならば、バーコードスキャナーがより効果的に広い消費者市場で使用されることで普通庶民にも使用できるように、アプリケーション範囲とバーコードスキャナーの操作性は強化されることができる。
【課題を解決するための手段】
【０００５】
そこで、前記の課題を解決するために、本考案は作業者がモバイル電子装置の操作インターフェースに直接バーコード走査作業を実行することができるモバイルタイプバーコード情報読取りシステムを提供することを目的とする。
【０００６】
前記の目的を達成するために、本考案のモバイルタイプバーコード情報読取りシステムは、モバイル電子装置と携帯式バーコード走査装置からなり、使用状態においては携帯式バーコード走査装置とモバイル電子装置がお互いに情報連係している。バーコード走査制御モジュールを作動した場合、オペレータは直接モバイル電子装置で携帯式バーコード走査装置を操作することができる。モバイルタイプバーコード情報読取りシステムは、ユーザによって簡単に実行され、かつプラグ＆プレイの機能があるため、それは場所の環境制限により影響を受けることはない。モバイル電子装置で得られるバーコード情報は、直接保存されることができ、かつモバイル電子装置のスクリーンに表示されることもできる。そのため、ユーザは、すぐバーコード情報の内容を読むことができるので、便利性は著しい。
【考案の効果】
【０００７】
本考案のモバイルタイプバーコード情報読取りシステムによれば、携帯式バーコード走査装置とモバイル電子装置がお互いに情報連係しているので、データ伝送線が不要となり、使用場所の環境制限により影響されない。モバイル電子装置で得られるバーコード情報は、直接保存されることができ、かつモバイル電子装置のスクリーンに表示されることもできるため、ユーザはすぐバーコード情報の内容を読むことができる。したがって、モバイルタイプバーコード情報読取りシステムは、便利性に非常に優れている。
【図面の簡単な説明】
【０００８】
【図１】図１は、本考案のモバイルタイプバーコード情報読取りシステムの斜視外観図である。
【図２】図２は、本考案のモバイルタイプバーコード情報読取りシステムの組立概略図である。
【図３】図３は、本考案のモバイルタイプバーコード情報読取りシステムのブロック図である。
【図４】図４は、本考案のモバイルタイプバーコード情報読取りシステムの実施の概略図（一）である。
【図５】図５は、本考案のモバイルタイプバーコード情報読取りシステムの実施の概略図（二）である。
【図６】図６は、本考案のモバイルタイプバーコード情報読取りシステムの実施の概略図（三）である。
【図７】図７は、本考案のモバイルタイプバーコード情報読取りシステムの実施の概略図（四）である。
【図８】図８は、本考案のモバイルタイプバーコード情報読取りシステムの実施の概略図（五）である。
【図９】図９は、本考案の別の一実施例のモバイルタイプバーコード情報読取りシステムを示す図である。
【考案を実施するための形態】
【０００９】
以下、図面を用いて本考案のモバイルタイプバーコード情報読取りシステムをより詳しく説明する。
【００１０】
図１は本考案のモバイルタイプバーコード情報読取りシステムの斜視外観図、図２は本考案のモバイルタイプバーコード情報読取りシステムの組立概略図、図３は、本考案のモバイルタイプバーコード情報読取りシステムのブロック図、図４〜図８は、それぞれ本考案のモバイルタイプバーコード情報読取りシステムの実施の概略図（一）〜（五）、図９は、本考案の別の一実施例のモバイルタイプバーコード情報読取りシステムを示す図である。
【００１１】
図１に示すように、本考案のモバイルタイプバーコード情報読取りシステム１０は、モバイル電子装置１０１と携帯式バーコード走査装置１０２とからなる。オペレータは、携帯式バーコード走査装置１０２とモバイル電子装置１０１とをお互いに情報連係してから、直接モバイル電子装置１０１で携帯式バーコード走査装置１０２を操作することができる。これにより、携帯式バーコード走査装置１０２がバーコードの走査作業を実行することが可能になる。
【００１２】
図２に示すように、モバイル電子装置１０１は無線送信の機能を持つものであるため、それは携帯電話、PDA、タブレット、ノートパソコンなど、その他のいずれのものであってもよい。また。モバイル電子装置１０１はタッチ制御ユニット１０１１と情報送信ポート１０１２を有している。そのうち、情報送信ポート１０１２はUSB (universal serial bus)であってもよい。
【００１３】
携帯式バーコード走査装置１０２は、バーコード走査モジュール１０２１とマッチング・プラグ１０２２を具備している。バーコード走査モジュール１０２１は、バーコードを走査することに使用され、主に光源と、レンズユニットと、受光器からなる。一方、マッチング・プラグ１０２２は、モバイル電子装置１０１の情報伝送ポート１０１２と同じ伝送仕様を有する。正常状態では、携帯式バーコード走査装置１０２がモバイル電子装置１０１から独立して切り離されてもよい。バーコード走査作業を行う場合、携帯式バーコード走査装置１０２とモバイル電子装置１０１が情報連係するように、情報伝送ポート１０１２とマッチング・プラグ１０２２はお互いに情報連係してもよい。
【００１４】
図２及び図３に示すように、モバイル電子装置１０１は別にマイクロ処理モジュール１０１３を具備しており、タッチ制御ユニット１０１１と情報送信ポート１０１２はそれぞれこのマイクロ処理モジュール１０１３と情報連係をしている。携帯式バーコード走査装置１０２を作動するために設けてあるバーコード走査制御モジュール１０１４もモバイル電子装置１０１のマイクロ処理モジュール１０１３と情報連係をしている。
【００１５】
前記バーコード走査制御モジュール１０１４はアプリケーションプログラムの形式に属してもよく、かつバーコード走査制御モジュール１０１４はモバイル電子装置１０１に保存される。携帯式バーコード走査装置１０２とモバイル電子装置１０１が情報連係された場合、オペレータはこのバーコード走査制御モジュール１０１４を作動することにより、バーコードの走査作業が実行される。携帯式バーコード走査装置１０２は、別にマイクロ処理モジュール１０２３を有している。このマイクロ処理モジュール１０２３が、バーコード走査モジュール１０２１とマッチング・プラグ１０２２の間で情報連係をし、主にバーコードの復号化を行う。
【００１６】
図４に示すように、モバイル電子装置１０１と携帯式バーコード走査装置１０２とを連結した場合、モバイル電子装置１０１はマイクロ処理モジュール１０１３で装置識別をすぐに実行する。この装置識別を完了した後、モバイル電子装置１０１と携帯式バーコード走査装置１０２との情報連係も達成することができる。
【００１７】
図５に示すように、オペレータはバーコード走査制御モジュール１０１４を起動した時に、バーコード走査制御モジュール１０１４がマイクロ処理モジュール１０１３を駆動するにより、マイクロ処理モジュール１０１３から起動信号S1を生み出す。この起動信号S1は情報送信ポート１０１２に通してマッチング・プラグ１０２２へ伝送され、さらにマイクロ処理モジュール１０２３を経由してバーコード走査モジュール１０２１を作動する。
【００１８】
図６に示すように、バーコード走査モジュール１０２１が作動された場合に、オペレータがタッチ制御ユニット１０１１の上に設けてあるバーチャル押しボタン１０１５をタッチするにより、走査光L1をバーコード走査モジュール１０２１から発射する。走査光L1を一つのバーコードBに合わせた時に、バーコード情報を有する反射光L2がバーコードBから生成され、さらにバーコード走査モジュール１０２１がそれを受け取る。
【００１９】
図６と図７に参考すれば、モバイル電子装置１０１の作動方式は、単にデジタル方式の押しボタンだけに限らない。実際の押しボタン作動、バーチャルの押しボタン作動、または誘導式作動方式のいずれかの実施が可能である。モバイル電子装置１０１は、実際の押しボタン１０１６を有する。オペレータがこの実際の押しボタン１０１６を押すことにより、バーコード走査制御モジュール１０１４を作動することができる。実際の押しボタン１０１６はモバイル電子装置１０１の周縁またはその一つの平面に設けられる。
【００２０】
前記の誘導式作動方式について、音声制御と、イメージ制御と、赤外線制御と、三軸制御とのいずれかの使用ができる。モバイル電子装置１０１は、前記方式のいずれかを利用してバーコード走査制御モジュール１０１４を作動する。バーコード走査制御モジュール１０１４は、ほとんどのモバイル電子装置１０１に取り付けられるので、一般性が優れている。因みに、モバイル電子装置１０１の作動方式はどの方式にも限定していない。
【００２１】
図８に示すように、バーコード走査モジュール１０２１が反射光L2を受け取った場合、その反射光L2を電子信号Eに変換し、かつその電子信号Eをマイクロ処理モジュール１０２３へ伝送する。マイクロ処理モジュール１０２３はさらに電子信号Eの復号化を実施して、また復号化された情報をバーコード情報D1に変換して、さらにそのバーコード情報D1をマッチング・プラグ１０２２を経由してモバイル電子装置１０１に回送する。
【００２２】
図９に示すように、バーコード走査モジュール１０２１と携帯式バーコード走査装置１０２のマッチング・プラグ１０２２との間に一つの枢軸１０２４を通して、それらは連結される。これにより、バーコード走査モジュール１０２１と、携帯式バーコード走査装置１０２のマッチング・プラグ１０２２とがこの枢軸によって適当な角度で相対的に回転することができる。オペレータは操作したい時に、バーコード走査モジュール１０２１と、携帯式バーコード走査装置１０２のマッチング・プラグ１０２２とを相対的に回転させるように、バーコード走査モジュール１０２１を回転して、バーコード走査モジュール１０２１をオペレータが希望の角度に調整する。従って、携帯式バーコード走査装置１０２は最適の走査角度でバーコード走査作業を行える。
【００２３】
以上、前記の内容は本考案の好ましい実施態様であり、本考案の実施範囲を制限するものではない。当考案の主旨と範囲を逸脱しない下に、この技術分野に精通する者によって行われた変更及び修正は全て当考案の実用新案登録請求の範囲内に属するべきである。
【産業上の利用可能性】
【００２４】
本考案によれば、携帯式バーコード走査装置とモバイル電子装置がお互いに連結しているので、データ伝送線不要である。そのため、使用場所の環境制限により影響されない。モバイル電子装置で得られるバーコード情報は直接保存されることができ、かつモバイル電子装置のスクリーンに直接表示されることもできるため、ユーザはすぐバーコード情報の内容を読むことができる。したがって、本考案のモバイルタイプバーコード情報読取りシステムは、便利性に非常に優れている。
【符号の説明】
【００２５】
１０      ：モバイルタイプバーコード情報読取りシステム
１０１    ：モバイル電子装置
１０２    ：携帯式バーコード走査装置
１０１１  ：タッチ制御ユニット
１０１２  ：情報送信ポート
１０１３  ：マイクロ処理モジュール
１０１４  ：バーコード走査制御モジュール
１０１５  ：バーチャル押しボタン
１０１６  ：実際の押しボタン
１０２１  ：バーコード走査モジュール
１０２２  ：マッチング・プラグ
１０２３  ：マイクロ処理モジュール
１０２４  ：枢軸
B         ：バーコード
L1        ：走査光
L2        ：反射光
E         ：電子信号
D1        ：バーコード情報
S1        ：起動信号
【図１】
0003192976.tif 000003
【図２】
0003192976.tif 000004
【図３】
0003192976.tif 000005
【図４】
0003192976.tif 000006
【図５】
0003192976.tif 000007
【図６】
0003192976.tif 000008
【図７】
0003192976.tif 000009
【図８】
0003192976.tif 000010
【図９】
0003192976.tif 000011